(57)【要約】【課題】ブラケットを容易に組み付けることができる技術を提供する。【解決手段】ブラケットは、前後方向に延在し、取付部材を被取付部材に固定するためのブラケット本体３２と、ブラケット本体３２を覆う第１ブラケットカバー３４および第２ブラケットカバー３６と、を備える。第１ブラケットカバー３４および第２ブラケットカバー３６は、互いに係合することで、ブラケット本体３４に組み付けられる。第１ブラケットカバー３４および第２ブラケットカバー３６は、前後方向に離れた少なくとも２箇所で互いに係合する。【選択図】図３
2020033797.tif 000002
【特許請求の範囲】
【請求項１】
前後方向に延在し、取付部材を被取付部材に固定するためのブラケット本体と、
前記ブラケット本体を覆う第１ブラケットカバーおよび第２ブラケットカバーと、を備え、
前記第１ブラケットカバーおよび前記第２ブラケットカバーは、互いに係合することで、前記ブラケット本体に組み付けられることを特徴とするブラケット。
【請求項２】
前記第１ブラケットカバーおよび前記第２ブラケットカバーは、前記前後方向に離れた少なくとも２箇所で互いに係合することを特徴とする請求項１に記載のブラケット。
【請求項３】
前記第１ブラケットカバーおよび前記第２ブラケットカバーの一方に係合部が設けられ、他方に前記係合部に係合する被係合部が設けられ、
前記係合部は、前記被係合部に対してスライド可能であることを特徴とする請求項１または２に記載のブラケット。
【請求項４】
前記第１ブラケットカバーおよび前記第２ブラケットカバーの少なくともいずれか一方は、前記ブラケット本体に係合することを特徴とする請求項１から３のいずれかに記載のブラケット。
【請求項５】
前記第１ブラケットカバーは、前記ブラケット本体の上側に設けられ、
前記第２ブラケットカバーは、前記ブラケット本体の下側に設けられることを特徴とする請求項１から４のいずれかに記載のブラケット。
【請求項６】
前記第１ブラケットカバーおよび前記第２ブラケットカバーの一方に係止部が設けられ、他方に前記係止部を係止することで前記被係合部に対する前記係合部のスライドを規制する被係止部が設けられ、
前記係止部および前記被係止部は、スナップフィット構造を構成することを特徴とする請求項３に記載のブラケット。
【請求項７】
前記取付部材および前記被取付部材の一方は、浴室部品であり、他方は浴室壁部であることを特徴とする請求項１から６のいずれかに記載のブラケット。
【発明の詳細な説明】
【技術分野】
【０００１】
本発明は、取付部材を被取付部材に取り付けるためのブラケットに関する。
【背景技術】
【０００２】
特許文献１には、手すり棒を平面状の被設置部に取り付けるための手すり用ブラケットが開示されている。この手すり用ブラケットは、ブラケット部材およびブラケット部材の上部を覆う外装部材からなるブラケット本体と、ブラケット本体の下部を覆うブラケットカバーとを備える。このブラケットカバーは、ブラケット本体に対してネジ止めにより固定される。
【先行技術文献】
【特許文献】
【０００３】
【特許文献１】特開２０１７−１７９９４１号公報
【発明の概要】
【発明が解決しようとする課題】
【０００４】
特許文献１に開示される技術では、ブラケットカバーをブラケット本体に固定する際にネジ止め作業を要し、余計な作業負担が生じてしまう。
【０００５】
本発明のある態様は、ブラケットカバーをブラケット本体にしっかりと固定しつつ、ブラケットカバーの組み付け時の作業負担を軽減できる技術を提供することにある。
【課題を解決するための手段】
【０００６】
上記課題を解決するために、本発明のある態様のブラケットは、前後方向に延在し、取付部材を被取付部材に固定するためのブラケット本体と、ブラケット本体を覆う第１ブラケットカバーおよび第２ブラケットカバーと、を備える。第１ブラケットカバーおよび第２ブラケットカバーは、互いに係合することで、ブラケット本体に組み付けられる。
【発明の効果】
【０００７】
本発明によれば、ブラケットカバーをブラケット本体にしっかりと固定しつつ、ブラケットカバーの組み付け時の作業負担を軽減できる。
【図面の簡単な説明】
【０００８】
【図１】実施例の浴室ユニットを示す斜視図である。
【図２】第２ブラケットの斜視図である。
【図３】第２ブラケットの分解図である。
【図４】図４（ａ）は、第１ブラケットカバーの側面図であり、図４（ｂ）は、第１ブラケットカバーの背面図である。
【図５】第２ブラケットカバーの斜視断面図である。
【図６】手すりを第１壁部に取り付けた状態の第２ブラケットについて説明するための図である。
【図７】第２ブラケットの前後方向に沿った後方側の部分断面図である。
【図８】変形例の第２ブラケットの前後方向に沿った後方側の部分断面図である。
【発明を実施するための形態】
【０００９】
図１は、実施例の浴室ユニット１を示す斜視図である。浴室ユニット１は、浴槽１０、洗い場１２、エプロン１４、浴室壁部１５、鏡１６、カウンター１８、手すり２０、棚２２、シャワーヘッド２４、水栓装置２８、第１ブラケット３０ａおよび第２ブラケット３０ｂを備える。
【００１０】
浴槽１０は、平面視矩形状であって前後方向に長く、湯を溜めることができる深皿状である。洗い場１２は、浴槽１０に左右方向に隣り合う位置に設けられる。左右方向は、前後方向に直交する水平な方向である。前後方向は、例えば、第１ブラケット３０ａおよび第２ブラケット３０ｂが平面視にて延在する方向でもある。
【００１１】
浴室ユニット１は、浴室空間を画定する複数の浴室壁部１５を備える。複数の浴室壁部１５は、浴室空間を前後左右から取り囲む。複数の浴室壁部１５には、浴槽１０および洗い場１２に渡って左右に延在する第１壁部１５ａが含まれる。エプロン１４は、浴槽１０の洗い場１２側の側面を覆い、浴槽１０および洗い場１２の境界に位置する。
【００１２】
鏡１６は、浴室壁部１５の第１壁部１５ａに貼り付けられ、浴槽１０側から洗い場１２側に渡って左右方向に延在する。カウンター１８は、第１壁部１５ａの洗い場１２側の部分から水平に張り出すように平板状に設けられる。カウンター１８は、エプロン１４の上端とほぼ同じ高さに設けられる。
【００１３】
手すり２０は、第１ブラケット３０ａおよび第２ブラケット３０ｂ（これらを区別しない場合、「ブラケット３０」という）により第１壁部１５ａに固定される。手すり２０は、ブラケット３０により第１壁部１５ａに取り付けられる取付部材の一例であり、第１壁部１５ａは手すり２０の取付相手となる被取付部材に一例である。第１ブラケット３０ａは、第１壁部１５ａの正面視にて右側に設けられ、複数の第２ブラケット３０ｂは、左側に設けられる。手すり２０は、浴槽１０側から洗い場１２側に渡って左右方向に延在し、鏡１６より下方でカウンター１８より上方に位置する。手すり２０により、ユーザが浴槽１０と洗い場１２を行き来する際に把持してスムーズに移動できる。
【００１４】
ブラケット３０は、取付部材である手すり２０を、被取付部材である第１壁部１５ａに固定する。第１ブラケット３０ａは、第２ブラケット３０ｂより第１壁部１５ａからの突出長さが長くなるように設けられる。
【００１５】
手すり２０と第１壁部１５ａの間には、網状の棚２２が設けられる。棚２２は、せっけんやシャンプーなどの風呂用品の置き場として利用される。つまり、ブラケット３０により取り付けられる取付部材は棚２２であってよい。
【００１６】
スライドバー２６は、鏡１６の右側で、第１壁部１５ａの右端部に棒状に設けられ、上下方向に延在し、スライドバー２６にはシャワーヘッド２４を着脱可能に支持するフックが設けられる。水栓装置２８は、洗い場１２側の第１壁部１５ａに設けられ、カウンター１８の上方で手すり２０の下方に位置する。水栓装置２８は、シャワーヘッド２４から出る吐水流量を調節したり、温度を調節したりできる。
【００１７】
図２は、第２ブラケット３０ｂの斜視図である。図２（ａ）は第２ブラケット３０ｂを前方Ｆから見た図であり、図２（ｂ）は第２ブラケット３０ｂを後方Ｂから見た図である。また、図３は、第２ブラケット３０ｂの分解図である。第２ブラケット３０ｂは、前後方向に延在するように形成され、手すり２０側（前方Ｆ）に向かって途中で斜め上向きに延びるように屈曲している。これにより、ユーザが手すり２０を把持したときに、第２ブラケット３０ｂがユーザの手に干渉することを抑えることができる。
【００１８】
第２ブラケット３０ｂは、ブラケット本体３２、第１ブラケットカバー３４および第２ブラケットカバー３６を備える。ブラケット本体３２は、手すり２０などの取付部材と浴室壁部１５などの被取付部材に固定される。ブラケット本体３２は、前後方向に延在するように形成され、手すり２０側（前方Ｆ）に向かって途中で斜め上向きに延びるように屈曲している。
【００１９】
第１ブラケットカバー３４および第２ブラケットカバー３６は、互いに係合することでブラケット本体３２に組み付けられ、ブラケット本体３２を覆う。ブラケット本体３２は樹脂材料で形成され、第１ブラケットカバー３４および第２ブラケットカバー３６はメッキを施された樹脂材料または金属材料で形成されてよい。ブラケット本体３２を第１ブラケットカバー３４および第２ブラケットカバー３６で覆うことで、ブラケット３０の意匠性を向上できる。
【００２０】
第１ブラケットカバー３４は、前後方向に延在するように形成され、手すり２０側（前方Ｆ）に向かって途中で斜め上向きに延びるように屈曲している。第１ブラケットカバー３４は、ブラケット本体３２の上側に設けられ、第２ブラケットカバー３６は、ブラケット本体３２の下側に設けられる。これにより、第１ブラケットカバー３４は、ブラケット本体３２に載置された状態にあるためブラケット本体３２から外れにくくなる。第２ブラケットカバー３６は、第１ブラケットカバー３４に対してスライド可能であり、第１ブラケットカバー３４に対してスライドして係合し、第１ブラケットカバー３４への組み付けを容易にしている。なお、第１ブラケット３０ａもブラケット本体と一対のブラケットカバーとを有し、第２ブラケット３０ｂと同様の構成を有する。
【００２１】
ブラケット本体３２は、第１固定部４０、第２固定部４２、側方凸部４４、側方凹部４６、本体係止爪４８、第１リブ５０ａ、第２リブ５０ｂおよび第３リブ５０ｃを有する。
【００２２】
第１固定部４０は、ネジ等の締結部材により手すり２０に固定される。第２固定部４２は、締結部材により第１壁部１５ａに固定される。第１固定部４０は、正面側（前側）に位置し、手すり２０に締結するための孔を有する。第２固定部４２は、背面側（後ろ側）に位置し、第１壁部１５ａに締結するための孔を有する。
【００２３】
第１固定部４０および第２固定部４２は、ブラケット本体３２の両端にそれぞれ位置し、ブラケット３０は、平面視にて第１固定部４０から第２固定部４２に向かって長手状に形成される。平面視にて第１固定部４０から第２固定部４２に向かう方向Ｂおよび第２固定部４２から第１固定部４０に向かう方向Ｆをブラケット３０の長手方向ＦＢという。ブラケット３０の長手方向ＦＢは、第１壁部１５ａに略垂直な方向に沿い、第１ブラケットカバー３４および第２ブラケットカバー３６のスライド方向にほぼ沿っている。ブラケット本体３２の下側は開放されており、第１固定部４０および第２固定部４２を固定する際に、締結部材や工具を下側から差し込むことができる。
【００２４】
側方凸部４４は、ブラケット本体３２の側面の下部に突出して一対形成される。側方凹部４６は、ブラケット本体３２の側面の上部に凹んで一対形成される。本体係止爪４８は、ブラケット本体３２の側面の中央部に突出して一対形成される。側方凸部４４、側方凹部４６および本体係止爪４８は、いずれも第２固定部４２側に形成される。本体溝部４９は第１ブラケットカバー３４のスライド方向に沿っている。
【００２５】
第１リブ５０ａは、ブラケット本体３２の上面に突出して形成され、前後方向に延びる。第２リブ５０ｂおよび第３リブ５０ｃは、ブラケット本体３２の側面に突出して形成され、上下方向ＵＤに延び、前後方向に離れて位置する。これらのリブ５０ａ，５０ｂ，５０ｃは第１ブラケットカバー３４および第２ブラケットカバー３６に当接して、第１ブラケットカバー３４および第２ブラケットカバー３６のガタつきを抑える。
【００２６】
第１ブラケットカバー３４は、ブラケット本体３２の上側からブラケット本体３２を覆う。ここで、第１ブラケットカバー３４および第２ブラケットカバー３６について新たな図面を参照しつつ説明する。
【００２７】
図４（ａ）は、第１ブラケットカバー３４の側面図であり、図４（ｂ）は、第１ブラケットカバー３４の背面図である。第１ブラケットカバー３４の形状は、上壁と、上壁の両縁から垂下する一対の側壁とにより構成され、断面が略Ｕ字形に形成される。第１ブラケットカバー３４は、薄肉部５２、第１係合部５４ａ、第２係合部５４ｂ、被係止部５６、内側係止爪５８、正面側内方凸部６０および背面側内方凸部６２を有する。
【００２８】
薄肉部５２は、第１ブラケットカバー３４の外側面を凹ませるように、第１ブラケットカバー３４の下部にて薄い板状に形成される。
【００２９】
第１係合部５４ａおよび第２係合部５４ｂは、薄肉部５２の外面に突出して形成され、スライド方向に延びる。第１係合部５４ａおよび第２係合部５４ｂをスライド方向に延ばすことで第２ブラケットカバー３６への引っ掛かり代を確保できる。第１係合部５４ａおよび第２係合部５４ｂは、長手方向および上下方向に離れて位置し、いずれも第１ブラケットカバー３４の両外側面にそれぞれ形成される。第１係合部５４ａは背面側に位置し、第２係合部５４ｂは正面側に位置する。第１係合部５４ａおよび第２係合部５４ｂは第２ブラケットカバー３６のスライドをガイドする。
【００３０】
被係止部５６は、薄肉部５２の外面に爪状に突出して形成され、第１ブラケットカバー３４の両側面にそれぞれ形成される。被係止部５６は、第１係合部５４ａより背面側に位置し、スライド方向後方側に位置するため、第２ブラケットカバー３６のスライドを終える時に第２ブラケットカバー３６に係合する。
【００３１】
内側係止爪５８は、図４（ａ）に破線で示す内方に突出する突起を有し、ブラケット本体３２の本体係止爪４８に係止する。内側係止爪５８は、両側に一対形成されており、背面側の位置で下方に延出するように形成されている。よって、内側係止爪５８は組み付けの際にブラケット本体３２の本体係止爪４８に当たって拡開するように撓み可能である。内側係止爪５８がブラケット本体３２の本体係止爪４８に係止することで、第１ブラケットカバー３４がブラケット本体３２に対してスライド方向および長手方向に移動することを抑えることができる。
【００３２】
正面側内方凸部６０および背面側内方凸部６２は、第１ブラケットカバー３４の両側面の内側に突出して一対ずつ形成され、長手方向に離れて位置する。正面側内方凸部６０は、本体溝部４９に対して前後方向にスライド可能であり、本体溝部４９に上下方向に係合する。背面側内方凸部６２は図３に示す側方凹部４６に対して前後方向にスライド可能であり、側方凹部４６に上下方向に係合する。正面側内方凸部６０および背面側内方凸部６２により、第１ブラケットカバー３４がブラケット本体３２に対して上下方向および前方へ動くことを規制できる。なお、正面側内方凸部６０および背面側内方凸部６２のいずれか一方のみで係合した場合、前後両端の１箇所のみの係合となってその係合部分を起点として揺動するように第１ブラケットカバー３４がブラケット本体３２に対してガタつくおそれがある。正面側内方凸部６０がブラケット本体３２の本体溝部４９に係合して第１ブラケットカバー３４の上下方向の動きが規制され、背面側内方凸部６２がブラケット本体３２の側方凹部４６に係合して第１ブラケットカバー３４の上下方向および前方への動きが規制され、内側係止爪５８がブラケット本体３２の本体係止爪４８に係合して第１ブラケットカバー３４の後方への動きが規制されることで、第１ブラケットカバー３４がブラケット本体３２に対して上下方向および前後方向に動くことを規制し、第１ブラケットカバー３４をブラケット本体３２にしっかりと固定できる。
【００３３】
図５は、第２ブラケットカバー３６の斜視断面図である。第２ブラケットカバー３６の形状は、下壁と、下壁の両縁から立設する一対の側壁とにより構成され、断面が略Ｕ字形に形成される。第２ブラケットカバー３６は、薄肉部６４、第１溝部６６ａ、第２溝部６６ｂ、係止部６８および背面側凹部７０を有する。
【００３４】
薄肉部６４は、第２ブラケットカバー３６の内側面を凹ませるように、第２ブラケットカバー３６の上部にて薄い板状に形成されており、第１ブラケットカバー３４の薄肉部５２と重なる。
【００３５】
第１溝部６６ａおよび第２溝部６６ｂは、薄肉部６４の内面に溝状に形成され、スライド方向に延びる。第１溝部６６ａおよび第２溝部６６ｂは、長手方向および上下方向に離れて位置し、いずれも第２ブラケットカバー３６の両内側面に形成される。第１溝部６６ａは背面側に位置し、第２溝部６６ｂは正面側に位置する。第１溝部６６ａは、第１係合部５４ａに対して前後方向にスライド可能であり、第１係合部５４ａに係合し、第２溝部６６ｂは、第２係合部５４ｂに対して前後方向にスライド可能であり、第２係合部５４ｂに係合する。第１溝部６６ａおよび第２溝部６６ｂは、第１係合部５４ａおよび第２係合部５４ｂに係合される被係合部として機能する。
【００３６】
係止部６８は、薄肉部６４の内面に爪状に突出して形成され、第２ブラケットカバー３６の両側面にそれぞれ形成される。係止部６８は、第１溝部６６ａより背面側に位置し、第１ブラケットカバー３４の被係止部５６に係止し、第２ブラケットカバー３６が正面側に、つまり第２ブラケットカバー３６が第１ブラケットカバー３４から外れる方向にスライドすることを規制する。
【００３７】
背面側凹部７０は、第２ブラケットカバー３６の両内側面に凹んで形成され、ブラケット本体３２の側方凸部４４にスライドして上下方向に係合する。背面側凹部７０が側方凸部４４に係合することで、第２ブラケットカバー３６がブラケット本体３２に対して上下方向に動くことを規制できる。これにより、第２ブラケットカバー３６をブラケット本体３２にしっかり固定でき、第２ブラケットカバー３６をスライドさせれば固定できるため、第２ブラケットカバー３６の組み付け時の作業負担を軽減できる。
【００３８】
図３に戻り、ブラケット３０の取付方法について説明する。ブラケット本体３２を第１壁部１５ａおよび手すり２０に取り付ける前に、第１ブラケットカバー３４がブラケット本体３２に取り付けられる。第１ブラケットカバー３４の正面側内方凸部６０および背面側内方凸部６２が、ブラケット本体３２の本体溝部４９および側方凹部４６にブラケット本体３２の背面側からスライドして係合され、内側係止爪５８が本体係止爪４８に係止することで、第１ブラケットカバー３４がブラケット本体３２に取り付けられる。
【００３９】
側方凹部４６が背面側内方凸部６２に係合することで、第１ブラケットカバー３４の正面側への移動が規制され、本体係止爪４８が内側係止爪５８に係止することで、第１ブラケットカバー３４の背面側への移動が規制される。ブラケット本体３２は、第１ブラケットカバー３４を組み付けた状態で下側が開放されており、締結部材を挿入可能である。
【００４０】
次に、ブラケット本体３２は、第１壁部１５ａおよび手すり２０にそれぞれ固定される。第１固定部４０に締結部材により手すり２０が固定され、第２固定部４２が締結部材により第１壁部１５ａに固定される。
【００４１】
次に、第２ブラケットカバー３６がブラケット本体３２の開放された下部を覆うように、ブラケット本体３２および第１ブラケットカバー３４の正面側からスライドされる。第２ブラケットカバー３６の背面側凹部７０は、ブラケット本体３２の側方凸部４４にスライドして係合する。ユーザは、第２ブラケットカバー３６の第１溝部６６ａおよび第２溝部６６ｂを、第１ブラケットカバー３４の第１係合部５４ａおよび第２係合部５４ｂの位置に合わせ、スライドさせて係合させる。
【００４２】
第２ブラケットカバー３６を第１ブラケットカバー３４に対してさらにスライドさせると、係止部６８が突出した被係止部５６に当たり、係止部６８周りの薄肉部６４が拡開するように弾性的に撓み、係止部６８が被係止部５６を乗り越えると薄肉部６４が復元し、係止部６８が被係止部５６に係止する。つまり、係止部６８および被係止部５６は、容易に取り付け可能なスナップフィット構造を構成している。これにより、ブラケット３０の取り付けが完了する。
【００４３】
このように、第１ブラケットカバー３４および第２ブラケットカバー３６をスライドさせて一体化させて筒状体にすることで、ブラケット本体３２に容易に組み付けることができる。
【００４４】
第１ブラケットカバー３４は、正面側内方凸部６０および背面側内方凸部６２と本体溝部４９および側方凹部４６とによりブラケット本体３２に係合し、第２ブラケットカバー３６は、背面側凹部７０と側方凸部４４によりブラケット本体３２に係合する。これにより、第１ブラケットカバー３４が上方に動くこと、第２ブラケットカバー３６が下方に動くことを規制でき、一体に係合されている第１ブラケットカバー３４および第２ブラケットカバー３６がブラケット本体３２に対してガタつくことを抑えることができる。
【００４５】
また、第１ブラケットカバー３４をブラケット本体３２の背面側からスライドして背面側内方凸部６２と側方凹部４６とを係合させ、第２ブラケットカバー３６をブラケット本体３２の正面側からスライドして背面側凹部７０と側方凸部４４とを係合させることで、第１ブラケットカバー３４および第２ブラケットカバー３６がブラケット本体３２に対して水平方向および上下方向に動くことを規制できる。
【００４６】
図６は、手すり２０を第１壁部１５ａに取り付けた状態の第２ブラケット３０ｂについて説明するための図である。図６では第２ブラケット３０ｂの側面を前後方向に沿って薄く切り欠いた状態を示す。
【００４７】
第１ブラケットカバー３４の第１係合部５４ａおよび第２係合部５４ｂが第２ブラケットカバー３６の第１溝部６６ａおよび第２溝部６６ｂに上下方向ＵＤに係合している。第１ブラケットカバー３４の係合部と第２ブラケットカバー３６の溝部が長手方向（前後方向ＦＢ）に離れて２箇所で係合することで、係合部と溝部の係合を上下に離れて設けることができ、立ち上がるように屈曲した第１ブラケットカバー３４に対して両端側で係合させることができ、第１ブラケットカバー３４および第２ブラケットカバー３６のガタつきを抑えることができる。水平に延びる係合部と溝部の係合により、第１ブラケットカバー３４および第２ブラケットカバー３６が上下方向ＵＤには外れないようにできる。
【００４８】
図７は、第２ブラケット３０ｂの前後方向に沿った後方側の部分断面図である。第２ブラケットカバー３６の係止部６８および第１ブラケットカバー３４の被係止部５６は、水平方向に係止しており、第２ブラケットカバー３６が前方Ｆに移動することを規制している。これにより、第２ブラケットカバー３６が第１ブラケットカバー３４から外れるようにスライドすることを規制できる。
【００４９】
第１ブラケットカバー３４の内側係止爪５８は、ブラケット本体３２の本体係止爪４８に水平方向に係止しており、第１ブラケットカバー３４が後方Ｂに移動することを規制している。これにより、第１ブラケットカバー３４がブラケット本体３２から外れるようにスライドすることを規制できる。
【００５０】
図８は、変形例の第２ブラケット３０ｂの前後方向に沿った後方側の部分断面図である。変形例の第２ブラケット３０ｂは、図７に示す第２ブラケット３０ｂと比べて、被係止部５６および係止部６８とは別の被係止部５７および係止部６９を有する点で異なる。
【００５１】
別の被係止部５７は、被係止部５６と同様に、薄肉部５２の外面に爪状に突出して形成され、第１ブラケットカバー３４の両側面にそれぞれ形成される。別の係止部６９は、係止部６８と同様に、薄肉部６４の内面に爪状に突出して形成され、第２ブラケットカバー３６の両側面にそれぞれ形成される。別の被係止部５７および係止部６９は、第２ブラケットカバー３６が第１ブラケットカバー３４から外れる方向にスライドすることを規制する点で、被係止部５６および係止部６８と同じであるが、被係止部５６および係止部６８と比べて配置が異なっている。
【００５２】
被係止部５６および係止部６８は、第２ブラケット３０ｂの後方Ｂ側で湾曲した両側面に形成されるのに対し、別の被係止部５７および係止部６９は、被係止部５６および係止部６９より前方Ｆ側で前後方向ＦＢに略平行な両側面に形成される。これにより、加工精度のよい平面部分に被係止部５７および係止部６９を形成することができ、係止を外れにくくでき、第２ブラケットカバー３６が第１ブラケットカバー３４から外れる方向のスライドを安定して規制できる。
【００５３】
なお実施例はあくまでも例示であり、各構成要素の組合せにいろいろな変形例が可能なこと、またそうした変形例も本発明の範囲にあることは当業者に理解されるところである。
【００５４】
実施例では、ブラケット３０により取り付ける取付部材として手すり２０および棚２２を示したが、この態様に限られない。例えば、ブラケット３０によりカウンター１８を取り付けてよい。また、被取付部材として第１壁部１５ａを示したが、浴室壁部１５のいずれの壁であってよく、またエプロン１４であってもよい。
【００５５】
実施例では、第１ブラケットカバー３４に突出した第１係合部５４ａおよび第２係合部５４ｂを形成し、第２ブラケットカバー３６に第１溝部６６ａおよび第２溝部６６ｂを形成する態様を示したが、この態様に限られない。例えば、凹凸関係は逆であってよく、第１ブラケットカバー３４に第１溝部および第２溝部を形成されてよい、第２ブラケットカバー３６に第１係合部および第２係合部が形成されてよい。
【００５６】
また、正面側内方凸部６０および背面側内方凸部６２と本体溝部４９および側方凹部４６との凹凸関係が逆であってよく、背面側凹部７０と側方凸部４４との凹凸関係が逆であってよい。
【００５７】
第２態様のブラケットは第１態様において、前記第１ブラケットカバーおよび前記第２ブラケットカバーは、前記前後方向に離れた少なくとも２箇所で互いに係合してよい。
これにより、１箇所のみの係合となってその係合部分を起点として揺動するように第１ブラケットカバーと第２ブラケットカバーがガタつくことを抑えることができる。
【００５８】
第３態様のブラケットは第１態様または第２態様において、前記第１ブラケットカバーおよび前記第２ブラケットカバーの一方に係合部が設けられ、他方に前記係合部に係合する被係合部が設けられ、前記係合部は、前記被係合部に対してスライド可能であってよい。
これにより、第２ブラケットカバーを第１ブラケットカバーに組み付ける際にスライド方向にガイドさせることができる。
【００５９】
第４態様のブラケットは第１態様から第３態様のいずれかにおいて、前記第１ブラケットカバーおよび前記第２ブラケットカバーの少なくともいずれか一方は、前記ブラケット本体に係合してもよい。
これにより、一体化した第１ブラケットカバーおよび第２ブラケットカバーと、ブラケット本体との位置ずれを抑えることができる。
【００６０】
第５態様のブラケットは第１態様から第４態様のいずれかにおいて、前記第１ブラケットカバーは、前記ブラケット本体の上側に設けられ、前記第２ブラケットカバーは、前記ブラケット本体の下側に設けられてもよい。
これにより、上側の第１ブラケットカバーがブラケット本体から外れないように構成でき、例えば第２ブラケットカバーを第１ブラケットカバーに対して係合部と溝部の係合による下方向の外れを十分に規制することで、第１ブラケットカバーおよび第２ブラケットカバーをブラケット本体３２から外れにくくできる。
【００６１】
第６態様のブラケットは第１態様から第５態様のいずれかにおいて、前記第１ブラケットカバーおよび前記第２ブラケットカバーの一方に係止部が設けられ、他方に前記係止部を係止することで前記被係合部に対する前記係合部のスライドを規制する被係止部が設けられ、前記係止部および前記被係止部は、スナップフィット構造を構成してもよい。
これにより、ユーザが第２ブラケットカバー３６を第１ブラケットカバー３４に対してスライド方向に押せば、係止部および被係止部を係止させることができ、容易に組み付けできる。また、係合部および被係合部のスライドを規制することで、係合部および被係合部の係合を外れないようにできる。
【００６２】
第７態様のブラケットは、第１態様から第６態様にいずれかにおいて、取付部材および被取付部材の一方は、浴室部品であり、他方は浴室壁部であってよい。
ブラケットにより浴室部品を浴室壁部に容易に取り付けることができる。
【符号の説明】
【００６３】
３０ａ  第１ブラケット、  ３０ｂ  第２ブラケット、  ３０  ブラケット、  ３２  ブラケット本体、  ３４  第１ブラケットカバー、  ３６  第２ブラケットカバー、  ５６  被係止部、  ６８  係止部。
【図１】
2020033797.tif 000003
【図２】
2020033797.tif 000004
【図３】
2020033797.tif 000005
【図４】
2020033797.tif 000006
【図５】
2020033797.tif 000007
【図６】
2020033797.tif 000008
【図７】
2020033797.tif 000009
【図８】
2020033797.tif 000010